Podtech/llm-jp-corpus-v4-ja_patent huggingface dataset:
(57)【要約】      （修正有）【課題】ネクタイやマフラー、スカーフ、ベルトなどの小物を掛けたときに、片一方にすべり固まるのを解消すると同時に、上着からアクセサリーなどの小物まで一つで収納できるハンガーを提供する。【解決手段】ハンガーに２本のバーをもうけ、一方に何箇所かの仕切り用角を設けた。両端の仕切りは間隔を狭くして、角も短くし、時計やネックレス、ブレスレット、ネックレスなどのアクセサリーも掛けられるようにした。それにより、上着からアクセサリーまで殆どが一つのハンガーで収納でき、次に衣服を身に付けるときにも、その場で殆ど全てを身に付けることができる。【選択図】図１
0003159160.tif 000002
【実用新案登録請求の範囲】
【請求項１】
ハンガー本体に２本のバーを設け、片方のバーに何本かの仕切り角を設けたハンガー。
【考案の詳細な説明】
【技術分野】
【０００１】  本考案は、ハンガーの下部バーの下にさらに仕切り角を持ったバーを取り付けたハンガーである。
【背景技術】
【０００２】  従来のハンガーでは、マフラーやネクタイ、ベルト、ストール、スカーフなどを掛けると、どちらかに滑ってしまい固まってしまうため、ハンガーの均衡を失う上に、取り出すときに選り分けなくてはならない。又、ズボンなどを掛けてしまうと、その上にネクタイやマフラーを掛けることになり、ズボンを取るときにそれらの小物を先に取らなければならないという二度手間が掛かる。
【考案の概要】
【考案が解決しようとする課題】
【０００３】  本考案は、ネクタイやマフラー、ベルト、スカーフなどを掛けたときに、どちらかに滑って固まってしまうのを、解決するために考えられたものである。
２段式の下部のバーに、７〜８ｃｍの間隔で角を出し仕切りを設けることにより、ネクタイ、マフラー、ベルト、スカーフなどを分けて掛けることができる、しかもそれらは横に滑って一箇所に固まることは無い。その上、時計やネックレス、ブレスレッドなどのアクセサリーも一緒に掛けておくことができる。
【課題を解決するための手段】
【０００４】  本考案は、従来のハンガーのズボン掛けバーの下部に、もう１本の仕切り角を持ったバーを取り付けた。
仕切り用の角は、長さ８ｃｍ、間隔が８ｃｍで取り付け、両端には長さ４ｃｍ、間隔を同じく４ｃｍの短い角を取り付けた。こうすることにより、普通衣服を脱いでハンガーに衣服をかけていくときにはネクタイやマフラーなど小物から脱いでいく、その順番のままに掛けていくことができる。つまり、脱いだものをいったん床などに置く必要はなくなった。しかも両サイドの短い角には時計やネックレス、ブレスレットなどの小物を掛けておけるので、一箇所に全て収納でき、次に衣服を着るときにはその場で動かずに全てを身に付けることができるようになった。
ネクタイやマフラー、スカーフなどの小物は滑って一箇所に固まることなく綺麗に収まる上に、アクセサリーまで一緒に収納できるので、非常に便利になったし、取り出すときに小物を選り分ける手間も無くなった。
【考案の効果】
【０００５】  上述したように、身に付けている殆どのものを一つのハンガーに掛けておくことができる上に、ネクタイ、マフラー、スカーフ、ベルトなどの小物を掛けたとき、滑って片方に固まることなく、綺麗に分けて収納できるので、上着、ズボンなどを掛けてもかさばることは無く、しかもアクセサリーまで一緒に掛けておくことができるので、次に衣服を身に付けるときには、一箇所で動かずに着ることが出来るなど便利な上に、散らかされることも無くなった。
【図面の簡単な説明】
【０００６】
【図１】本考案の全体を示す平面図
【考案を実施するための形態】
【０００７】  本考案は、ハンガーの下部に、ズボン用のバーと仕切り角を待った２本のバーを取り付けた。真ん中に８ｃｍの長さの角を８ｃｍ間隔で出し、両サイドの間をさらに真ん中で仕切り４ｃｍの仕切り角を付けた。こうすることにより、真ん中辺りにはマフラーやストールなど嵩の大きなものを、さらにその隣にネクタイやベルトなどを掛けていける。
両サイドの短い角には時計やブレスレット、ネックレスなどのアクセサリーを掛けることができる。最後に上のバーにズボンを掛けると、上着から小物まですべてが一つのハンガーで収納できる。
【実施例】
【０００８】  以下添付図面で説明する。
１は、上着をかける部分で、２は、ズボンを掛けておくバー、２本目の下部のバーには６本の仕切り角が出ている。真ん中辺りにはマフラーやスカーフなどの嵩の大きなもの、その両サイドにはネクタイやベルトなどの小物を掛けられるようにした。さらに両サイドの短い角には腕時計やブレスレット、ネックレスなどのアクセサリーも掛けることが出来る優れたハンガーである。
【符号の説明】
【０００９】１、ハンガー本体
２、ズボン掛けバー
３、仕切り角
４、仕切り角の短いもの
【図１】
0003159160.tif 000003
(57)【要約】【課題】排気筒より排出される煙が、外気の風力により逆流して屋内に充満することなく、確実に排煙出来るようにする。【解決手段】排気筒５の上部に回動手段４を介してＴ字管２を連設し、このＴ字管２の外部に風向板１を固設すると共に内部に逆流防止弁３を回動可能に設けることによって、強風が吹いても逆流防止弁の作用で外気の屋内への侵入を防ぎ、煙突からの自然通風が可能なようにした。【選択図】図２
0003159192.tif 000002
【実用新案登録請求の範囲】
【請求項１】
排気筒の上部に回動手段を介してＴ字管を連設し、当該Ｔ字管の外部には、風向板を固設すると共にＴ字管の内部交叉部位には、逆流防止弁を回動可能に設けたことを特徴とする逆流防止弁付き排煙装置。
【考案の詳細な説明】
【技術分野】
【０００１】本考案は、煙突等から排出される煙が、強風に影響されて屋内に煙が逆流することを防ぐ逆流防止弁付き排煙装置に関するものである。
【背景技術】
【０００２】従来の煙突は、その頭部形状が傘状もしくはＴ字形になっており、屋内で暖房や炊事等により焚付けを行う際、煙を煙突内部を通して外部へ自然通風し排煙処理する構成になっている。
【考案の概要】
【考案が解決しようとする課題】
【０００３】従来の煙突は、屋外で強風が吹いている場合、煙突より出ようとする煙が風力により妨げられ、出難くなるか、もしくは煙が逆流してしまい、それにより屋内にいる者は、煙の充満した中で我慢を強いたげられる欠点があった。
【課題を解決するための手段】
【０００４】そこで本考案は、排気筒５の上部に回動手段４を介してＴ字管２を連設し、当該Ｔ字管２の外部には風向板１を固設すると共に、Ｔ字管２の内部交叉部位には逆流防止弁３を回動可能に設け、強風により風向板１に風力が加わった際、Ｔ字管２が回転し、これに伴いＴ字管２内部への風圧により逆流防止弁３を押し倒して外気通風状態にし、煙を引き込むと同時に逆流防止をも図れるように構成したものである。
【考案の効果】
【０００５】屋外で強風が吹いている際、屋内で薪ストーブや暖炉もしくは調理場でガス等を使用しても確実に排煙出来、煙の充満した中で我慢を強いたげられるような不快感を生じさせることは一切ない。また、どんな強風下であっても煙が逆流することなく正常に排煙出来、しかも当該手段実現に際し、逆流防止弁の軽量化、Ｔ字管の回動手段の簡素化等に着目し、極めて簡単な構成で実用可能とした。
【考案を実施するための形態】
【０００６】図１は、本考案装置の一実施例を示す一部切断した斜視図、図２は、強風下において本考案装置が作動した状態での構成を示す断面図であって、１は風向板、２はＴ字管、３は逆流防止弁、４は回動手段、５は排気筒である。排気筒５より煙が排出されている際、屋外で強風が吹くと風向板１に風力が加わりＴ字管２が回動手段４により回転し風方向に向く。するとＴ字管２の一端より風が進入しＴ字管内部の逆流防止弁を押し倒す。押し倒された逆流防止弁は、回動しながら角部２ａにて停止し外気通風状態になるので、外気はＴ字管の内面上部と逆流防止弁との隙間より流れると同時にこの時の風力により排気筒５内の煙が強制的に吸い出され、排気筒５内の煙が排煙される。
【産業上の利用可能性】
【０００７】本考案は、家庭における煙突の排煙装置に利用出来ることはもちろん、海底の温度や圧力等を高低差により液体を一定方向に上昇させる装置としても活用できる。これは気体についても同様な活用が可能である。
【図面の簡単な説明】
【０００８】
【図１】本考案の一実施例を一部切断して示す煙突頭部の斜視図である。
【図２】本考案における強風下で作動した状態での構成を示す煙突頭部の断面図である。
【符号の説明】
【０００９】１    風向板
２    Ｔ字管
２ａ  角部
３    逆流防止弁
４    回動手段
５    排気筒
【図１】
0003159192.tif 000003
【図２】
0003159192.tif 000004
(57)【要約】【課題】作業効率向上および洗浄性に優れた清掃用モップを提供する。【解決手段】平滑な底部を有する平面視Ｌ形の主体を設け、該主体上部に適宜支持部材を介して柄を遊動自在に設け、主体底面に面ファスナーを設け、一方、上面に面ファスナーを有する布体を設けるとともに、布体下面に糸モップを植設してなるモップ体を設け、相互の面ファスナー係着にて主体とモップ体の移動による床面清掃および主体とモップ体分離にて、モップ体の洗浄を容易とするよう構成したことを特徴とする。【選択図】図７
0003159196.tif 000002
【実用新案登録請求の範囲】
【請求項１】
平滑な底部を有する平面視Ｌ形の主体を設け、該主体上部に適宜支持部材を介して柄を遊動自在に設け、主体底面に面ファスナーを設け、一方、上面に面ファスナーを有する布体を設けるとともに、布体下面に糸モップを植設してなるモップ体を設け、相互の面ファスナー係着にて主体とモップ体の移動による床面清掃および主体とモップ体分離にて、モップ体の洗浄を容易とするよう構成してなる清掃用柄付きモップ。
【考案の詳細な説明】
【技術分野】
【０００１】  この考案は、糸モップを着脱自在とした柄付きモップに関する。
【背景技術】
【０００２】  従来より、種々のモップが多用されているが、本考案に示すように、糸モップを面ファスナーにて着脱自在としたものは見あたらない。
【考案の開示】
【考案が解決しようとする課題】
【０００３】  従来の清掃用モップは２種類があり、一般用の小型のものは、糸モップの汚れが落ちにくく、洗った後の水切りに難がある。広い面積用の大型のものはその扱いに専用技術を要するものであり、両者ともに糸モップ洗浄時に、糸のもつれやかさ高による取扱の不便さを有するものであった。また単一の糸モップ使用のため、屋内のコーナー部分の清掃には不向きなものであった。本案は、以上のような従来からの清掃用モップに関わる課題を解決するために考案されたもので、能率よく清掃でき、汚れたモップを容易に取り外して洗浄できる、新規かつ有用なる用具を提供するものである。
【課題を解決するための手段】
【０００４】  課題を解決する手段として本案は以下の構成とした。すなわち、平滑な底部を有する平面視Ｌ形の主体を設け、該主体上部に適宜支持部材を介して柄を遊動自在に設け、主体底面に面ファスナーを設け、一方、上面に面ファスナーを有する布体を設けるとともに、布体下面に糸モップを植設してなるモップ体を設け、相互の面ファスナー係着にて主体とモップ体の移動による床面清掃および主体とモップ体分離にて、モップ体の洗浄を容易とするよう構成する。本案は以上の構成よりなる清掃用柄付きモップである。
【考案の効果】
【０００５】  本案は、以下の効果を有する。
１．Ｌ形にモップ体が位置するので、広面積を効率よく清掃することができる。
２．主体がＬ形のため、室内のコーナー部分の清掃が容易である。
３．主体に対し遊動自在の柄を有するので、柄に対する主体回動が容易である。
４．モップ体は主体に対し着脱可能のため、汚れたモップ体の洗浄が容易である。
【考案を実施するための最良の形態】
【０００６】  以下、本考案の実施形態について説明する。
図において、１は平滑な底面を有する断面略コ字形の市販アルミ型材を直角に接合してなる平面視Ｌ形の主体、２は該主体上に固着される台形板による補強板、３は小平板上に有孔凸部を有するステーで、補強板上に孔を対向させて所定距離にて螺着される。
４は回動軸で、その上部に有孔の舌片部を有してステー間に回動可能に位置する。
５は適当長アルミ管による柄で、その下部には有孔の二股部を有し、この二股部内に前記回動軸の舌片部が互いの孔を一致させて位置し、雄ねじと蝶ナットにてこの孔を介して回動軸に対して柄は回動可能に設けられる。従って、柄は主体に対し前後左右に自在に回動でき、柄をその軸心を回動中心として回すことにて主体を床面に対して回動させることができる。６は主体両端に覆設される合成樹脂製の保護カバー、７は主体下面に貼着される面ファスナーである。以上にて主体部８が構成される。
１０は主体下面と近似サイズの布による布体、１１は該布体上面に設けられる面ファスナー、１２は布体下面に植設される糸モップであり、以上にてモップ体１３が構成される。
このモップ体は長さの異なるものが各１本用いられる。【０００７】  本案の使用に際しては、まず互いの面ファスナー係着にて主体下面にモップ体を位置させる。柄を持って主体を床面移動させて床面清掃がなされ、柄をその軸心に対して回すことにて主体とモップ体は床面上にて回動するので、清掃エリアに適したモップ位置と角度を得ることができる。主体は既述のようにＬ形のため、室内のコーナー部分にフィットするので容易に清掃ができ、また、一般の小型モップより本品はモップ面積が広く、かつアルミ素材による主体のために適度の重量感を有して楽に清掃することができる。また、モップ体は主体に対し着脱自在のため、汚れたモップ体を取り外して洗浄することができる。
糸モップは布体に植設されているために、洗浄時のモップ糸の絡みが防止される。【０００８】  以上、本案について記したが、本案はＬ形主体下面にモップ体を面ファスナーにて着脱自在に設けたところにその特徴を有し、既述の数々の利点を有するものである。
従来はこのような物品が存在しなかったので、清掃効率と糸モップ洗浄に不便であった。
すなわち、部屋の隅を拭くときは糸モップを手で押さえ、腰をかがめて作業しなければならず、大型モップにおいてもフロアーの隅を拭く作業は時間と手間のかかるものであった。従来の小型モップは糸モップを広げて締め具にて固定する方式のため、手間と時間を要し、汚れた糸モップ洗浄は手洗いによらねばならなかった。しかるに本案では、清掃に便利なだけでなく、布体に糸モップを植設する構造のため、洗濯機での一括洗浄が可能であり、洗浄時の糸からみがなく、面ファスナー方式のために着脱も容易なものとなったのである。なお、例示では保護カバーを設けており、作業時に諸物品や壁面等へのクッション性を有して損傷を防ぐ構成とした。この保護カバーは主体全面にも設けてもよい。
既述の例は実施の一例であり、近似の他の構成としてもよい。以上のごとく、本案にて作業性に富むとともに洗浄にも便利なる清掃用のモップを得ることができる。
【図面の簡単な説明】
【０００９】
【図１】  本考案の平面図
【図２】  本考案の正面図（一部略）
【図３】  本考案に用いる主体材料の断面形状図
【図４】  本考案の底面図
【図５】  本考案のモップ体の平面図
【図６】  本考案のモップ体係着時における拡大右側面図（一部略）
【図７】  本考案の使用状態図
【符号の説明】
【００１０】１  主体
２  補強板
３  ステー
４  回動軸
５  柄
６  保護カバー
７  面ファスナー
８  主体部
１０  布体
１１  面ファスナー
１２  糸モップ
１３  モップ体
【図１】
0003159196.tif 000003
【図２】
0003159196.tif 000004
【図３】
0003159196.tif 000005
【図４】
0003159196.tif 000006
【図５】
0003159196.tif 000007
【図６】
0003159196.tif 000008
【図７】
0003159196.tif 000009
(57)【要約】      （修正有）【課題】売り切れてない場合と店から買うのを忘れて持っているマスクだけの場合に、マスクをポケット又はバックに入れる前に口元に触れずパックに入れ除菌し、感染を広げないためのパックとスプレー容器を提供する。【解決手段】感染防止には、マスク３をポケット又はバックに入れる前に、マスクの耳掛けの紐を持ち、カバー１の上のウェットテッシュー２に乗せ、アルコールスプレー４でマスク両面全体にスプレー消毒し、ウェットテッシューとカバーでマスクを挟み、カバーの縁の凹凸の溝で閉める。【選択図】図１
0003159104.tif 000002
【実用新案登録請求の範囲】
【請求項１】
ウェットテッシュー（２）とカバー（１）は着脱自在に出来、そのウェットテッシュー（２）とカバー（１）はマスク（３）を挟む用にように使い、縁はファスナーか凹凸の溝で閉められる、携帯用に持つためウェットテッシュー（２）とカバー（１）半分に折ることが出来る、アルコールスプレー（２）でマスク（３）にスプレーし中間まで染み込ませ、マスク（３）の耳掛けを持ち口元に手を触れず新型インフレエンザのウイルス菌を消毒除菌する特徴のマスク除菌パック。
【考案の詳細な説明】
【技術分野】
【０００１】  マスクを消毒する器のパックに関する。
【背景の技術】
【０００２】  ２００９年度時の新型インフレエンザがメキシコから各国に感染し、我が国に伝染した時に、マスクの使用者に対し製造が追いつかず数が足りなく、何処の店に行っても売り切れ状態であった、
本来使い捨てマスクは、新型インフエンザなどの菌が目に見えなく、ウイルス菌に汚染されているかが見分けが出来ず使い捨てていることにあるが、そのマスクに手を触れて二次感染の拡大になってしまっていたのではないか？。
【０００３】
【特許文献１】
【非特許文献１】
【考案の概要】
【考案が解決しようとする課題】
【０００３】  従来使い捨てのマスクなどは、使い終えて捨てる所がない場合などに、ウイルス感染されていれば一番危険な場所の口元に触れポケット又はバックに入れて、感染を広げる虞があった。【０００４】  本件は以上のような従来の欠点に鑑み、マスクが上記記載のように、売り切れてない場合と店から買うのを忘れ持っているマスクだけの場合に、マスクをポケット又はバックに入れる前に口元に触れずパックに入れ除菌し、感染を広げないためのパックとスプレー容器を提供することを目的としている。、
【課題を解決するための手段】
【０００５】  上記目的を達成するために、本考案は、インフレエンザのウイルスが付着しているかが見分けが付かないマスクを、口元に触れずウイルス菌が外に出さないようにウェットテッシューとカバーで挟み密閉することと、そのマスクをアルコール消毒することである、カバーは、例として塩化ビニール、ポリエチレン又はポリエステルなどその他インフレエンザの菌が外に漏れず感染しない素材、縁はファスナーか凹凸の溝で閉められ、携帯用のアルコールスプレーの容器は、販売されている容器で、この容器にアルコールを入れマスクにスプレーする構成をしている。
【考案の効果】
【０００６】  １，カバーは、マスクに付着したインフレエンザのウイルス菌をアルコール殺菌しないでもカバーの外にウイルス菌を出さず閉じこめることを第一とし、第２にマスクをアルコール消毒することにある。
２，ウェットテッシューは、ウェットテッシューにしみているアルコールだけでは足りずアルコールスプレーでマスクの両面全体をスプレーすることで消毒除菌できる。
３，アルコールスプレー容器は、販売されている物でマスクにスプレーするが、アルコールを入れ常時持っていればマスクだけでなく、自分の手及び気になる場所にスプレーすることで、拡大感染を防ぎ除菌できる。
【図面の簡単な説明】
【０００７】
【図１】本考案の第一の実施の斜視と使用図
【図２】本考案の第一の実施の断面図
【考案を実施するための形態】
【実施例１】
【０００８】  以下図面に示す実施の形態により、本考案を詳細に説明する。
マスク（３）を耳を掛ける所を持って、カバー（１）とウェットテッシュー（２）の上に置き、携帯用アルコールスプレー（４）でマスクの両面全体ををスプレーし中間まで染み込ませ消毒除菌する、このマスク（３）をウェットテッシュー（２）とカバー（１）でサンドにし、そのカバー（１）の縁の凹凸溝で閉める、
携帯用に持ち歩くためカバー（１）とウェットテッシュー（２）は、半分に折ることが出来る、
【符号の説明】
【０００９】  １，カバー（塩化ビニール、ポリエチレン、ポリエステル、）
２，ウェットテッシュー
３，マスク
４，アルコースプレー
【図１】
0003159104.tif 000003
【図２】
0003159104.tif 000004
【手続補正書】
【提出日】平成21年11月19日(2009.11.19)
【手続補正１】
【補正対象書類名】実用新案登録請求の範囲
【補正対象項目名】全文
【補正方法】変更
【補正の内容】
【実用新案登録請求の範囲】
【請求項１】
マスクを収納するカバーからなるマスク除菌パックであって、カバーの内側にウエットティシュで、この中にマスクを収納し、カバー全体を折りたたんだときにカバーに設けたファスナー又は凹凸の溝で閉めることを特徴とするマスク除菌パック。
【手続補正書】
【提出日】平成22年2月10日(2010.2.10)
【手続補正１】
【補正対象書類名】実用新案登録請求の範囲
【補正対象項目名】全文
【補正方法】変更
【補正の内容】
【実用新案登録請求の範囲】
【請求項１】
マスクを収納するカバーからなるマスク除菌パックであって、カバーの内側にウエットティシュ、マスクの順で収納し、カバー全体を折りたたんだときにカバーに設けたファスナー又は凹凸の溝で閉めることを特徴とするマスク除菌パック。
(57)【要約】      （修正有）【課題】遠赤外線により熱伝導率を高め、調理効果並びに保温効果を高めることができる土鍋を提供する。【解決手段】土鍋の底部を構成する陶土の中心部に、平面状に炭素繊維を入れ、底部を三層構造とする。【選択図】図１
0003159108.tif 000002
【実用新案登録請求の範囲】
【請求項１】
土鍋の製造時に、土質（粘土）部分の中心部に、平面状の炭素繊維を入れて焼成し製造した土鍋。
【考案の詳細な説明】
【技術分野】
【０００１】  炭素繊維は強度があり、不燃性、腐食性であり、輻射熱として遠赤外線を放出する。
遠赤外線は、水分に対し熱伝導力があり、食材の中まで熱を浸透させる効果がある。
炭素繊維の有するこのような特性を活かし、調理に使用される土鍋を、さらに熱伝導と保温力を高めることにより、熱効率が高く使い勝手の良いものにする。
【背景技術】
【０００２】  従来の土鍋は、鉄や銅等の金属を素材にした鍋と比較すると、熱伝導が遅く、重量がある、壊れやすい等の欠点はあった。
【考案の概要】
【考案が解決しようとする課題】
【０００３】  従来の土鍋に比較して、炭素繊維を使用することにより、強度を高めることにより軽量化を図るとともに、遠赤外線効果により熱伝導と保温力を高めること考案した。
【課題を解決する為の手段】
【０００４】  上記の課題を解決するために、土鍋を製造する過程で、原型を構成する粘土の中間に、平面状にシート状の炭素繊維を挟み込んで形成し、焼成する方法を考案した。
【考案を実施するための形態】
【０００５】  土鍋の製造工程の成型の段階で、［書類名］図面の［図１］で示すとおり、土質（粘土）と土質（粘土）の中間に、平面状の炭素繊維を挟んで成形し製造する。
【考案の効果】
【０００６】  炭素繊維を使用することにより、土鍋の強度があがり軽量化が図れるとともに、炭素繊維が輻射熱として放出する遠赤外線は、水分に対する熱伝導が良いため調理効果が上がり、燃料を削減する効果がある。
【図面の簡単な説明】
【０００７】
【図１】の土鍋底部の断面図に示したごとく、土鍋を成形するとき、土質（粘土）部分（１）の中心に平行して層をなすように平面状の炭素繊維（２）を入れて焼成する。
【符号の説明】
【０００８】〔書類名〕図面の符号は、以下のとおりである。
（１）土質（粘土）部分
（２）炭素繊維
【図１】
0003159108.tif 000003
【図２】
0003159108.tif 000004
【手続補正書】
【提出日】平成21年11月16日(2009.11.16)
【手続補正１】
【補正対象書類名】実用新案登録請求の範囲
【補正対象項目名】全文
【補正方法】変更
【補正の内容】
【実用新案登録請求の範囲】
【請求項１】
底部の中心に、平面状に炭素繊維を入れて製造した土鍋。
【手続補正２】
【補正対象書類名】明細書
【補正対象項目名】０００７
【補正方法】変更
【補正の内容】
【０００７】
【図１】土鍋の底部を示した断面図である。
【図２】土鍋の底部の断面の一部を拡大して示した断面図である。
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
土鍋の底部を構成する陶土の中心部に、平面状に炭素繊維を入れて形成された、底部が三層構造を有する土鍋。
(57)【要約】      （修正有）【課題】収納箱の繰返し使用が容易となる食品包装用ラップフイルム収納箱を提供する。【解決手段】収納箱の素材を耐湿気性の塩化ビニール系素材にし型崩れを解消し、箱の成型時に芯止、ラップフイルム押さえ、切断刃を一体化で成型して収納箱の繰返し使用を可能にし、不経済と資源削減、環境改善に寄与できる。【選択図】図３
0003159103.tif 000002
【実用新案登録請求の範囲】
【請求項１】
食品包装用ラップフイルム収納箱を耐湿素材とする。
【請求項２】
収納箱の本体に凸形状を、押さえ蓋に凹形状を設けて、凹凸形状でラップフイルムを挿むフイルムの逆戻り防止を備えた収納箱。
【請求項３】
収納箱内部にラップフイルム巻き芯を自在に取り出し可能な芯止めを備えた収納箱。
【考案の詳細な説明】
【技術分野】
【０００１】
本考案は、食品包装用ラップフイルムを入れる収納箱に関するものである。
【背景技術】
【０００２】
食品包装用ラップフイルムを入れる収納箱は紙製であった、また箱にラップフイルムを巻いた芯を止めることが出来ない、なお使用時にラップフイルムを抑えることが出来ない。
収納箱とラップフイルムを切断するノコ刃が別素材の為に分別廃棄が生じ不都合。
【考案の概要】
【考案が解決しようとする課題】
【０００３】
しかし、これではラップフイルムを入れてある収納箱が湿気で壊れて、ラップフイルムを使い切る事が出来ない他、ラップフィルムが巻いてある芯止めが無く使用時にラップフイルムの飛び出しが生じ不便である、又ラップフイルムを再使用する際にフイルム押さえが無いために、再使用の際に巻き戻りが生じフイルムを使い切れず不経済である、なお押さえ蓋にフイルム切断用のノコ刃を一体として設けて収納箱の再利用を可能にした。
【課題を解決するための手段】
【０００４】
そこで、ラップフイルムを入れる収納箱を湿気に強い素材にして、収納箱の左側面に固定したフイルム芯止め１１を設け、右側面には取り外し可能な芯止め駒９を誘導する溝１を設ける、収納箱の本体部に凸形状のフイルム受け５を、押さえ蓋部に凹形状のフイルム押さえ４を考案した、またフイルム切断刃６を素材と一体化する。
【考案の効果】
【０００５】
よって、本考案の食品包装用ラップフイルム収納箱の提供で、収納箱が湿気で壊れる事がなく、またフイルムを巻いてある筒を固定できフイルムの飛出しが防止される。
本体と押さえ蓋に凹凸形状のフイルム押さえを設けることでフイルムの逆戻りを防ぎ、押さえ蓋の先端に切断刃を一体化する事で収納箱の繰返し使用が容易となる。
本考案の食品包装用ラップフイルム収納箱の提供で、メーカーは収納箱を外した取替え用ラップフイルムのみの提供でよく、消費者は取り替えようラップフイルムのみの購入が可能となり経済的な負担も軽減される、さらに収納箱の繰り返し使用は環境改善にも寄与できる。  
【図面の簡単な説明】
【０００６】
【図１】食品包装用ラップフイルム収納箱全体図
【図２】断面図
【図３】収納箱内部左側面図
【図４】収納箱内部右側面図
【図５】固定駒図
【図６】駒正面
【図７】駒背面
【図８】駒装着図
【考案を実施するための形態】
【０００７】
食品包装用ラップフイルム収納箱を耐湿気素材で成型し、箱の内部に固定した芯止めと自在芯止め駒を用いてラップフイルムの取替えを容易に、箱本体にフイルム受けの凸形状と、押さえ蓋に凹形状のフイルム押さえ配しフイルムを挟み込みフイルムの逆戻りが解消される。
また、押さえ蓋に同一素材の切断刃を設けて箱の繰り返し使用が可能となった。
【実施例】
【０００８】
以下、添付図面に従って実施例を説明する。図１は耐湿気に優れた塩化ビニール系の適応素材にて一体化成型された食品包装用ラップフイルム収納箱、図２は鳥観図で箱の内部を表しラップフイルムの装着状態を示す、図３は箱内部芯止めを現す、図４は自在駒の装着溝を示す、図５は自在駒の装着状態を示す、図６は駒の正面を図７は駒の背面を表す。
【０００９】
食品包装用ラップフイルムを巻いた芯を固定芯止め１１と自在芯止め駒９を用いて溝１で装着する、装着したラップフイルムの先端をフイルム受け５まで引き出し押さえ蓋の４で挟み込み押さえ蓋先端の切断刃で切り取り使用する、切断したフイルムは常時挟み込まれた状態にあり次回使用時が容易である。
【符号の説明】
【００１０】
１    駒誘導溝
２    上蓋
３    押さえ蓋
４    ラップフイルム凹型押さえ
５    ラップフイルム凸型受け
６    フイルム切断ノコ目刃
７    上ふた一体型蝶番
８    押さえ蓋一体型蝶番
９    芯止め自在駒
１０  ラップフイルム巻き芯筒
１１  芯止め
２０  収納箱本体
【図１】
0003159103.tif 000003
【図２】
0003159103.tif 000004
【図３】
0003159103.tif 000005
【図４】
0003159103.tif 000006
【図５】
0003159103.tif 000007
【図６】
0003159103.tif 000008
【図７】
0003159103.tif 000009
【図８】
0003159103.tif 000010
【手続補正書】
【提出日】平成21年7月3日(2009.7.3)
【手続補正１】
【補正対象書類名】実用新案登録請求の範囲
【補正対象項目名】全文
【補正方法】変更
【補正の内容】
【実用新案登録請求の範囲】
【請求項１】
食品包装用ラップフィルムを入れる収納箱において、
前記収納箱の本体に凸形状を、押さえ蓋に凹形状を設けて、前記凹形状と前記凸形状とで食品包装用ラップフィルムを挿むフィルムの逆戻り防止を備えた食品包装用ラップフィルム収納箱。
【請求項２】
前記収納箱内部に前記食品包装用ラップフィルムの巻き芯を自在に取り出し可能な芯止めを備えた請求項１に記載の食品包装用ラップフィルム収納箱。
【請求項３】
耐湿素材よりなる請求項１又は２に記載の食品包装用ラップフィルム収納箱。
(57)【要約】      （修正有）【課題】氏名記載を簡単に出来る表札付き骨壺用台座を提供する。【解決手段】骨壺５を収納する台座２に表札構３を設けたことを特徴とする台座である。台座に旧来の氏名記載の無い骨壺を収める事により表示効果がある。従って、分別不可だった骨壺が一見で分別可の効果がある。【選択図】図３
0003159105.tif 000002
【実用新案登録請求の範囲】
【請求項１】
骨壺の台座であり、台座に表札構造を設けたことを特徴とする、骨壺の台座。
【考案の詳細な説明】
【技術分野】
【０００１】この考案は  骨壺の台座、形状に関する。
【背景技術】
【０００２】墓地内に複数埋葬された氏名記載のない骨壺は誰の遺骨かわからない状況にある、問題は墓地内に複数埋葬された氏名記載のない骨壺に、改めて氏名記載を行う事は容易でない状況にある。
【考案の開示】
【考案が解決しようとする課題】
【０００３】しかしながら以上の技術によれば、氏名記載せずに埋葬した骨壺に、後日又  数年後  氏名記載を行うことが困難な状況にある。そこでこの考案は氏名記載を簡単に出来る表札付き台座を提供することを課題とする。
【課題を解決するための手段】
【０００４】以上の課題を解決するために第一考案は。
骨壺を収納する台座に表札構を設けたことを特徴とする台座である。
【考案の効果】
【０００５】台座に旧来の氏名記載の無い骨壺を収める事により表示効果がある。
【考案を実施するための最良の形態】
【０００６】この考案の一実施形態を図３に示す
台座２  表札４  骨壺５が合体し完成図
【実施形態の効果】
【０００７】この実施形態によれば、分別不可だった骨壺が一見で分別可の効果がある。
【他の実施形態】
【０００８】図３の実施形態では、材質に陶器を用いたが他の実施形態では、デザイン  材質共  他のものでも良い。
【図面の簡単な説明】
【０００９】図１の  １は  墓所内骨壺の状況
図２の  ２は  骨壺を収納する台座。
図２の  ３は  表札構
図２の  ４は  表札
図３の  ２，３，４，５は  組合わせ完了図
【符号の説明】
【００１０】１  墓所内骨壺の状況      １図
２  台座本体              ２図
３  表札構                ２図
４  表札                  ２図
５  骨壺本体              ３図
６  水抜き穴              ２図
【図１】
0003159105.tif 000003
【図２】
0003159105.tif 000004
【図３】
0003159105.tif 000005
【手続補正書】
【提出日】平成21年11月24日(2009.11.24)
【手続補正２】
【補正対象書類名】明細書
【補正対象項目名】０００９
【補正方法】変更
【補正の内容】
【０００９】
【図１】図１は墓所内骨壷の状況を示した斜視図である。
【図２】図２は骨壷を乗せる台座と表札を示す斜視図である。
【図３】図３は台座に表札を取り付けた状態を示す正面図である。
(57)【要約】      （修正有）【課題】けん玉の、持ち運びの利便性を改善する専用ホルダーを提供する。【解決手段】ナイロンテープ等の素材を主としたけん玉ホルダー本体１に、けん玉の中皿の方からホルダー本体に挿入し、マジックテープ（登録商標）メス側３と、マジックテープオス側４を張り合わせることによってけん玉本体を固定し、本体１に設けたベルト通し２によって、ベルト等に通して持ち運びが容易にできる。【選択図】図２
0003159110.tif 000002
【実用新案登録請求の範囲】
【請求項１】
マジックテープ付きのベルトでけん玉に巻きつけるように固定し、ベルト通し設け、けん玉を容易に持ち運べるようにしたところを特徴とするけん玉ホルダー。
【考案の詳細な説明】
【技術分野】
【０００１】本考案は、けん玉を収納し、持ち運ぶためのけん玉ホルダーに関するものである。
【考案の概要】
【考案が解決しようとする課題】
【０００２】  けん玉はポケットに収納しにくい為、持ち運びがしにくい。
その為、バッグ等に入れ収納していた。
それにより、けん玉をする際、その都度バッグ等の中から探し、取り出していた。
【課題を解決するための手段】
【０００３】  本考案は、けん玉を専用ホルダーを用いて、持ち運びの利便性を改善し、題点を解決している。
【考案の効果】
【０００４】  上述の様に、本考案のけん玉ホルダーはホルダー本体にけん玉を収納することは勿論、ホルダー本体にベルト通しを設けたのでベルトに通して容易に持ち運べる為、けん玉をしたいときに、いつでもすぐに取り出し遊ぶことが出来る。
【図面の簡単な説明】
【０００５】
【図１】本考案のけん玉ホルダー本体の３面図である。
【図２】本けん玉ホルダーの実地例を示す３面図である。
【考案を実施するための形態】
【０００６】  けん玉ホルダーのマジックテープを剥がし開閉し、けん玉の中皿の方からホルダーに差し込み、マジックテープの端と端を合わせけん玉に巻きつけるようにして固定する。
【実施例】
【０００７】  以下、添付図面に従って一実施例を説明する。１はナイロンテープ等適宜素材を主としたけん玉ホルダー本体、２は本体をベルト等に通し、持ち運びを容易にするためのベルト通し。けん玉の中皿の方からホルダー本体に挿入し、マジックテープメス側３と、マジックテープオス側４を張り合わせることによってけん玉本体を固定する。
【符号の説明】
【０００８】１  けん玉ホルダー本体
２  ベルト通し
３  マジックテープメス側
４  マジックテープオス側
【図１】
0003159110.tif 000003
【図２】
0003159110.tif 000004
【手続補正書】
【提出日】平成22年1月16日(2010.1.16)
【手続補正１】
【補正対象書類名】実用新案登録請求の範囲
【補正対象項目名】全文
【補正方法】変更
【補正の内容】
【実用新案登録請求の範囲】
【請求項１】
マジックテープ（登録商標）付きのベルトでけん玉に巻きつけるように固定し、ベルト通しを設け、けん玉を容易に持ち運べるようにしたところを特徴とするけん玉ホルダー。
【手続補正２】
【補正対象書類名】明細書
【補正対象項目名】０００６
【補正方法】変更
【補正の内容】
【０００６】  けん玉ホルダーのマジックテープ（登録商標）を剥がし開閉し、けん玉の中皿の方からホルダーに差し込み、マジックテープ（登録商標）の端と端を合わせけん玉に巻きつけるようにして固定する。
【手続補正３】
【補正対象書類名】明細書
【補正対象項目名】０００７
【補正方法】変更
【補正の内容】
【０００７】  以下、添付図面に従って一実施例を説明する。１はナイロンテープ等適宜素材を主としたけん玉ホルダー本体、２は本体をベルト等に通し、持ち運びを容易にするためのベルト通し。けん玉の中皿の方からホルダー本体に挿入し、マジックテープ（登録商標）メス側３と、マジックテープ（登録商標）オス側４を張り合わせることによってけん玉本体を固定する。
【手続補正４】
【補正対象書類名】明細書
【補正対象項目名】０００８
【補正方法】変更
【補正の内容】
【０００８】１  けん玉ホルダー本体
２  ベルト通し
３  マジックテープ（登録商標）メス側
４  マジックテープ（登録商標）オス側
(57)【要約】【課題】  作業しやすく正確に粘着シートが切断でき、粘着シートの巻き込み処理後に粘着シートが重ならず、定規としても使用できるシート切断補助具を提供する。【解決手段】  Ｌ型ガイド板の直交する内側辺の交点部が円弧状に切り抜かれ、前記Ｌ型ガイド板の略中央部に、前記Ｌ型ガイド板の外側辺に対して４５度の角度で長方形の溝穴２を設け、前記Ｌ型ガイド板の外周に目盛り３を印字し、前記Ｌ型ガイド板の裏面を非粘着処理してシート切断補助具１とした。【選択図】図１
0003219094.tif 000002
【実用新案登録請求の範囲】
【請求項１】
Ｌ型ガイド板の直交する内側辺の交点部が円弧状に切り抜かれ、前記Ｌ型ガイド板の略中央部に、前記Ｌ型ガイド板の外側辺に対して４５度の角度で長方形の溝穴を設けたことを特徴とするシート切断補助具
【請求項２】
前記Ｌ型ガイド板の外周に目盛りを印字したことを特徴とする請求項１記載のシート切断補助具
【請求項３】
前記Ｌ型ガイド板の裏面が非粘着処理されていることを特徴とする請求項１記載のシート切断補助具
【考案の詳細な説明】
【考案の詳細な説明】
【技術分野】
【０００１】  本考案は、看板類の製作時に使用する粘着シートの切断補助具に関するものである。
【背景技術】
【０００２】  従来の看板類の製作においては、看板の支持体となる板材等に対して一回り大きい粘着シートを張り付けた後、作業者の感覚で支持体と重なっていない粘着シートの四方を正方形に手切りし、粘着シートを支持体の外周に巻き込んで処理する方法が行われている。一方、看板製作時に使用する粘着シート専用のシート切断補助具は見当たらない。
【考案の概要】
【考案が解決しようとする課題】
【０００３】  しかしながら、前記の従来方法では、粘着シートを支持体の外周に巻き込んだ際、支持体の四方角で粘着シートが重なってしまうため粘着シートの浮きや剥がれが発生しやすくなる。【０００４】  本考案は、上記の状況を鑑みて、作業しやすく、正確に粘着シートが切断でき、粘着シートの巻き込み処理後に粘着シートが重ならず、定規としても使用できるシート切断補助具を提供することを目的とする。
【課題を解決するための手段】
【０００５】  上記の目的を達成するために、Ｌ型ガイド板の直行する内側辺の交点部が円弧状に切り抜かれ、前記Ｌ型ガイド板の略中央部に、前記Ｌ型ガイド板の外側辺に対して４５度の角度で長方形の溝穴を設け、前記Ｌ型ガイド板の外周に目盛りを印字し、前記Ｌ型ガイド板の裏面を非粘着処理してシート切断補助具とした。
【考案の効果】
【０００６】  本考案のシート切断補助具は、Ｌ型ガイド板の直行する内側辺の交点部が円弧状に切り抜かれ、前記Ｌ型ガイド板の略中央部に、前記Ｌ型ガイド板の外側辺に対して４５度の角度で長方形の溝穴を設け、前記Ｌ型ガイド板の外周に目盛りを印字し、前記Ｌ型ガイド板の裏面を非粘着処理したシート切断補助具であり、前記シート切断補助具の内側を支持体に直角に当て、長方形の溝穴の辺に沿って粘着シートを切断することで、巻き込み処理において粘着シートが重ならない形状に、安全で早く、きれいに粘着シートが切断できる。【０００７】  また、このシート切断補助具はＬ型ガイド板の直交する内側辺の交点部から、前記外側辺に対して４５度の角度で長方形の溝穴の位置を変更する事で様々な厚みの支持体に対応できる。【０００８】  また、前記Ｌ型ガイド板の外周に目盛りを印字したことで定規としても使用できる。【０００９】  また、前記Ｌ型ガイド板の裏面を非粘着処理したことで、シート切断補助具に粘着シートがくっつかずに作業が行える。
【図面の簡単な説明】
【００１０】
【図１】本考案のシート切断補助具の平面図である。
【図２】本考案のシート切断補助具の斜視図である。
【図３】本考案のシート切断補助具を使用する状態を示す図である。
【考案を実施するための形態】
【００１１】  以下にこの考案の一実施の形態を説明する。
【実施例１】
【００１２】  まず、本実施例のシート切断補助具１は、図１に示すように、厚さ３ミリのアルミ複合板を内側辺の長さがそれぞれ７０ミリとしてその交点部には半径３ミリの穴を切り抜き、外側辺の長さが１２０ミリで幅５０ミリのＬ型に成形し、Ｌ型ガイド板の略中央部に外側辺に対して４５度の角度で長さ８８ミリ、幅６ミリの長方形の溝穴２を設けて製作した。尚Ｌ型ガイド板の材料は特にアルミ複合板に限定されるものではない。【００１３】  また、定規としても使用できるようにＬ型ガイド板の内側辺と外側辺の４辺に目盛り３を印字した。【００１４】  また、Ｌ型ガイド板の裏面に非粘着性を有するフィルムによる非粘着処理を施した。
【符号の説明】
【００１５】  １  シート切断補助具
２  溝穴
３  目盛り
４  粘着シートアタリ線
５  支持体
６  粘着シート
【図１】
0003219094.tif 000003
【図２】
0003219094.tif 000004
【図３】
0003219094.tif 000005
(57)【要約】      （修正有）【課題】棚板が安定して取り付けられ、地震の際等に棚板が離脱することを確実に防止できる棚板取付け具を提供する。【解決手段】棚を構成する側枠３０への係止部１１、１３を備えるとともに、上方に突出して棚板４０の取付け穴４２に嵌入される内周面をネジ部１５とする筒状係止部１７を備える本体部３と、ネジ部１５に螺入装着される棚板押さえネジ５とからなり、筒状係止部１７が棚板４０の上下に連通する取付け穴４２に下方から嵌入された状態において、棚板押さえネジ５が上方から筒状係止部１７のネジ部１５に螺入装着され、棚板押さえネジ５の頭部２３の周縁部２３ａが棚板４０上面の取付け穴４２の周縁部４３を押さえ固定する。【選択図】図５
0003219095.tif 000002
【実用新案登録請求の範囲】
【請求項１】
棚を構成する側枠への係止部を備えるとともに、上方に突出して棚板の取付け穴に嵌入される内周面をネジ部とする筒状係止部を備える本体部と、
前記ネジ部に螺入装着される棚板押さえネジとからなり、
前記筒状係止部が棚板の上下に連通する取付け穴に下方から嵌入された状態において、前記棚板押さえネジが上方から前記筒状係止部の前記ネジ部に螺入装着され、前記棚板押さえネジの頭部の周縁部が前記棚板上面の前記取付け穴の周縁部を押さえ固定することを特徴とする棚板取付け具。
【請求項２】
前記頭部が扁平である請求項１記載の棚板取付け具。
【請求項３】
前記取付け穴の下部が太径とされ、その部分に前記筒状係止部が嵌入される請求項１記載の棚板取付け具。
【考案の詳細な説明】
【技術分野】
【０００１】  この考案は、棚板取付け具に関する。
【背景技術】
【０００２】  棚板は、例えば、ダボと呼ばれる突起物が棚板の底面に設けられた取付け穴に嵌入されることで取り付けられ、これにより棚板の横ずれによる離脱が防止されている。しかしながら、最近、強い地震の際にダボが取付け穴から外れて棚板が離脱することが多発し、とくに、縦揺れが有る際に多く棚板が離脱しているとみられる。
【考案の概要】
【考案が解決しようとする課題】
【０００３】  この考案では、棚板が安定して取り付けられ、地震の際等に棚板が離脱することを確実に防止できる棚板取付け具を提供することを目的とする。
【課題を解決するための手段】
【０００４】  この考案では、棚を構成する側枠への係止部を備えるとともに、上方に突出して棚板の取付け穴に嵌入される内周面をネジ部とする筒状係止部を備える本体部と、前記ネジ部に螺入装着される棚板押さえネジとからなり、前記筒状係止部が棚板の上下に連通する取付け穴に下方から嵌入された状態において、前記棚板押さえネジが上方から前記筒状係止部の前記ネジ部に螺入装着され、前記棚板押さえネジの頭部の周縁部が前記棚板上面の前記取付け穴の周縁部を押さえ固定することを特徴とする棚板取付け具を提供する。【０００５】  上記構成の棚板取付け具によれば、棚板押さえネジの頭部の周縁部が棚板上面の取付け穴の周縁部を押さえ固定することで、棚板は安定して強固に取り付けられ、上下の揺れ発生の場合も筒状係止部が取付け穴から抜けることがなく、棚板の離脱が確実に防止される。【０００６】  棚板押さえネジの頭部が扁平とされることで、棚板上に物品が支障なく載置できる。【０００７】  取付け穴の下部が太径とされてその部分に前記筒状係止部が嵌入されることで、取付け穴の上部は細径となっており、棚板押さえネジとして頭部が大きくなくて目立つことが無く、且つ汎用の安価なものが使用される。
【考案の効果】
【０００８】  この考案によれば、棚板が強固に安定して取り付けられ、地震の際等に棚板が離脱することを確実に防止できるようになる。
【図面の簡単な説明】
【０００９】
【図１】  この考案の棚板取付け具の実施形態の上面側斜視図
【図２】  この考案の棚板取付け具の実施形態の下面側斜視図
【図３】  この考案の棚板取付け具の実施形態の使用説明図
【図４】  この考案の棚板取付け具の実施形態の使用説明図
【図５】  この考案の棚板取付け具の実施形態の使用時の断面図
【考案の好ましい実施形態】
【００１０】  図１はこの考案の棚板取付け具の実施形態の上面側斜視図、図２は同下面側斜視図である。棚板取付け具１は本体部３と棚板押さえネジ５とから構成される。本体部３はステンレス製のプレートが折り曲げ加工され、２層の折り重ね部７と折り重ね部７から下方に延び出す垂下部９とを備えるプレート片６と、折り重ね部７に取り付けられるステンレス製の筒状ボス（筒状係止部）１７とから構成される。折り重ね部７端からは上方に突出する係止部１１が、垂下部９の下端からは外方に突出する係止部１３がそれぞれ設けられている。折り重ね部７のほぼ中央位置には、内周面をネジ部１５とするステンレス製の筒状ボス１７がその基部が固定穴１９に嵌入固定されて立設されている。棚板押さえネジ５はステンレス製で、頂面にプラス溝２１が形成された扁平の頭部２３を備えている。
【００１１】  図３〜図５を参照して、棚板取付け具１の使用について説明する。まず、本体部３を、棚を構成する垂直方向に配置される側枠３０の係止穴３１それぞれに、係止部１１、１３のそれぞれを係止して、筒状ボス１７が上方に突出するように取り付ける。次に、棚板４０の取付け穴４２に筒状ボス１７を嵌入させて棚板４０を本体部３上に載置する。取付け穴４２は棚板４０を連通するように設けられ、下端から途中部までが太径となっており、その太径部分に筒状ボス１７は納められる。棚板押さえネジ５は取付け穴４２の細径部分の上端から挿し入れられて筒状ボス１７のネジ部１５に螺入装着され、頭部２３の周縁部２３ａが棚板４０上面の取付け穴４２の周縁部４３を押さえ固定する。
【００１２】  上記のように棚板押さえネジ５の頭部２３の周縁部２３ａが、棚板４０上面の取付け穴４２の周縁４３を押さえ固定することで、棚板４０は強固に取り付けられ、とくに、地震時に上下の揺れ発生した場合も筒状ボス１７が取付け穴４２から抜けることがなく、棚板４０の離脱が確実に防止される。棚板押さえネジ５の頭部２３が扁平とされていることで、棚板４０上に物品を支障なく載置できる。また、取付け穴４２の下部が太径とされ、その太径部分に筒状ボス１７が嵌入されて取付け穴４２の上部は細径となっているので、棚板押さえネジ５として頭部２３が大きくなくて目立つことの無く、且つ、汎用の安価なものが使用される。
【符号の説明】
【００１３】１      棚板取付け具
３      本体部
５      棚板押さえネジ
１１    係止部
１３    係止部
１５    ネジ部
１７    筒状ボス（筒状係止部）
２３    頭部
２３ａ  周縁部
３０    側枠
４０    棚板
４２    取付け穴
【図１】
0003219095.tif 000003
【図２】
0003219095.tif 000004
【図３】
0003219095.tif 000005
【図４】
0003219095.tif 000006
【図５】
0003219095.tif 000007